(57)【要約】【課題】従来の化粧品収納容器は充填された口紅が不良品であった場合にも口紅を取り外して皿部材の内部を掃除することが面倒で、化粧品収納容器ごと廃棄せねばならないので、皿部材だけを着脱可能とする。【解決手段】内筒部材の一対の切り割り溝は内筒部材の上端まで達し、外筒部材の螺旋溝は上端が開放され、皿部材が外筒部材で移動される最大突出位置では係合ピンと螺旋溝との係合を解除することができず、皿部材を最大突出位置よりもさらに上部に位置させたときに皿部材の係合ピンと螺旋溝との係合を解除することができ、化粧品収納容器の上部より皿部材を着脱可能とすることができるようにする。【選択図】図４
2006263271.tif 000002
【特許請求の範囲】
【請求項１】
ハカマ部材と、このハカマ部材内に下端部が挿入固定され上部には軸心方向の切り割り溝が対面に一対に形成された筒状の内筒部材と、この内筒部材の切り割り溝の外周を回動可能に覆い内部に螺旋溝が形成されたラセン部材と、このラセン部材の外周にラセン部材と一体的に形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に一対に形成された係合ピンとから構成される口紅等の化粧品収納容器において、内筒部材の切り割り溝は内筒部材の上端まで達し開放され、ラセン部材の螺旋溝は上端が開放され、皿部材が外筒部材で移動される最大突出位置では係合ピンと螺旋溝との係合を解除することができず、皿部材を最大突出位置よりもさらに上部に位置させたときに皿部材の係合ピンと螺旋溝との係合を解除することができ、化粧品収納容器の上部より皿部材を着脱可能としたことを特徴とする口紅等の化粧品収納容器。
【請求項２】
ハカマ部材と、このハカマ部材内に下端部が挿入固定され上部には軸心方向の切り割り溝が対面に一対に形成された筒状の内筒部材と、この内筒部材の切り割り溝の外周を回動可能に覆う内部に螺旋溝が形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に一対に形成された係合ピンとから構成される口紅等の化粧品収納容器において、内筒部材の切り割り溝は内筒部材の上端まで達し開放され、外筒部材の螺旋溝は上端が開放され、皿部材が外筒部材で移動される最大突出位置では係合ピンと螺旋溝との係合を解除することができず、皿部材を最大突出位置よりもさらに上部に位置させたときに皿部材の係合ピンと螺旋溝との係合を解除することができ、化粧品収納容器の上部より皿部材を着脱可能としたことを特徴とする口紅等の化粧品収納容器。
【請求項３】
内筒部材の切り割り溝は上端部が上方に向かって開拡開放されていることを特徴とする請求項１あるいは請求項２記載の化粧品収納容器。
【請求項４】
内筒部材の切り割り溝の上部には内筒部材が内方向へたわむことを阻止する一対の突起が段違いに形成されていることを特徴とする請求項１ないし請求項３の何れかの項に記載の化粧品収納容器。
【発明の詳細な説明】
【技術分野】
【０００１】
本発明は、口紅などの棒状化粧品を収納する化粧品収納容器に関するものである。
【背景技術】
【０００２】
従来の化粧品収納容器は、ハカマ部材と、このハカマ部材内に下端部が挿入固定され上部には軸心方向の切り割り溝が形成された筒状の内筒部材と、この内筒部材の切り割り溝の外周を回動可能に覆う内部に螺旋溝が形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に一対に形成された係合ピンとで構成されている。
【０００３】
そしてこのように構成された化粧品収納容器には外部で成形個化された口紅を皿部材の上部より皿部材内へ差し込む方法により口紅が充填される。
【０００４】
しかし、このように構成された従来の化粧品収納容器は充填された口紅が不良品であった場合にも口紅を取り外して皿部材の内部を掃除することが面倒で、高価な化粧品収納容器ごと廃棄せねばならず不経済であるという欠点があった。
【０００５】
以上のことから化粧品収納容器の口紅がセットされた皿部材だけを外して交換する、という考えもあるが、口紅の使用中に皿部材が外れてしまっては口紅が使用できなくなってしまうため本来は交換することができない構造となっている。その手段の一つとして、従来の化粧品収納容器では皿部材の一方の係合ピンの先端から対面側の係合ピンの先端までの距離が外筒部材の天穴の直径よりも大きい寸法に構成して、交換できないように構成するものであった。
【０００６】
それにより、係合ピンが外筒部材の天穴を通過できるようにするためには外筒部材の天穴の直径を大きくする、あるいは天穴の一部に係合ピンが通過できる切り欠きを設ければよいが、それではデザイン的に見苦しくなり、商品価値を下げてしまうものであった。
【０００７】
そこで皿部材だけを外して交換するためには、化粧品収納容器そのものを分解及び再組立する必要があったが、それには手間と高度な熟練が必要であり、さらには再組立された化粧品収納容器の品質にも問題を残すものであった。
【０００８】
この改善策として、出願人は特開平１１−１３７３３４号公報に記載される発明を出願している。この発明は化粧品収納容器を分解することなく皿部材だけを外して交換することができるものであるが、それであってもその構造上皿部材の係合ピンは一本でなければならず、そのため係合ピンが一対にのものに比べて皿部材の上下移動が不安定となってしまうものであった。また皿部材をセットするときには係止片１９を口元より奥の挿入部２２に狙って合わせる必要があり、そのため皿部材のセットが煩雑で面倒になるものであった。
【特許文献１】特開平１１−１３７３３４号公報
【発明の開示】
【発明が解決しようとする課題】
【０００９】
本発明は以上のような従来の欠点に鑑み、商品のデザインを犠牲にすることなく、誰でも簡単に、さらに品質に問題が発生することなく化粧品収納容器の上部より皿部材を着脱可能としたことを特徴とする口紅等の化粧品収納容器を提供することを目的としている。
【００１０】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【００１１】
上記課題を解決するため、本発明は化粧品収納容器の上部より皿部材を着脱可能とするものであり、その手段として皿部材の対面に一対に係合ピンを形成し、内筒部材の切り割り溝は内筒部材の上端まで達し開放され、外筒部材の螺旋溝は上端が開放され、皿部材が外筒部材で移動される最大突出位置では係合ピンと螺旋溝との係合を解除することができず、皿部材を最大突出位置よりもさらに上部に位置させたときに皿部材の係合ピンと螺旋溝との係合を解除することができ、化粧品収納容器の上部より皿部材を着脱可能とすることを最も主要な特徴とする。
【発明の効果】
【００１２】
本発明は以上説明したように構成されているので、以下に記載されるような効果を奏する。
【００１３】
（１）化粧品収納容器は充填された口紅が不良品であった場合にも口紅がセットされた皿部材だけを外して交換することが簡単である。
【００１４】
（２）外筒部材の天穴を大きくする、あるいは天穴の一部に係合ピンが通過できる切り欠きを付けるということがなく、デザイン的に見苦しくなったり、商品価値を下げてしまうことがない。
【００１５】
（３）化粧品収納容器そのものを分解及び再組立する必要がなく、手間や高度な熟練が必要ではなく、さらには化粧品収納容器の品質にも問題を残すことがない。
【００１６】
（４）係合ピンを対面に一対とすることができるので係合ピンが１本のものより皿部材の上下動を安定させることができる。
【００１７】
（５）請求項３においては皿部材をセットする際に内筒部材の切り割り溝の位置を探りやすくなるので、皿部材のセットがよりしやすくなる。
【００１８】
（６）請求項４においては内筒部材が内方向へたわむことを阻止することができるので外筒部材が内筒部材より抜け出してしまうという事故を防止することができる。
【００１９】
（７）以上の効果より、高価な化粧品収納容器ごと廃棄することがなく経済的な化粧品収納容器とすることができる。
【発明を実施するための最良の形態】
【００２０】
ハカマ部材と、このハカマ部材内に下端部が挿入固定され上部には軸心方向の切り割り溝が対面に一対に形成された筒状の内筒部材と、この内筒部材の切り割り溝の外周を回動可能に覆い内部に螺旋溝が形成されたラセン部材と、このラセン部材の外周にラセン部材と一体的に形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に一対に形成された係合ピンとから構成される口紅等の化粧品収納容器において、内筒部材の切り割り溝は内筒部材の上端まで達し開放され、ラセン部材の螺旋溝は上端が開放され、皿部材が外筒部材で移動される最大突出位置では係合ピンと螺旋溝との係合を解除することができず、皿部材を最大突出位置よりもさらに上部に位置させたときに皿部材の係合ピンと螺旋溝との係合を解除することができ、化粧品収納容器の上部より皿部材を着脱可能としたことで実現した。
【実施例１】
【００２１】
以下、図面に示す実施例により本発明を詳細に説明する。
図１ないし図７に示す発明の第１の実施例において、１は筒状のハカマ部材でこのハカマ部材１の上部には蓋嵌合部２が形成され、内部には内筒部材３の下端部が挿入固定されている。さらにこのハカマ部材１には、必ずしも必要ではないが、底穴１８を設けておくとよい。
【００２２】
内筒部材３は筒状に形成され上部には外方へ広がるフランジ部５が形成されていて、さらに側面には一対の軸心方向の切り割り溝４が対面に形成され、その上部は内筒部材３の上端まで達し、開放されている。
【００２３】
さらにこの切り割り溝４はフランジ部５より下方部はほぼ均一幅のものであるが、上端部は係合ピン１０をセットする際に導入しやすいように上方へ向かって広がった形状、すなわち開拡している開拡部１１が形成されているもので、図の説明では切り割り溝４全体がＹ字状をしたものとしてある。
【００２４】
２８は前記内筒部材３の上部の切り割り溝４が形成されている部位を回動可能に覆う外筒部材で、この外筒部材２８は外筒部材本体１２とラセン部材６によって構成されている。
【００２５】
この外筒部材本体１２は筒状に形成され上端部に切り欠きなどのない円形の天穴１３が形成され、主に金属材で形成されている。
【００２６】
６のラセン部材は外筒部材本体１２内に一体的に固定され、前記内筒部材３の切り割り溝４の外周を回動可能に覆い、その内部にはラセン部材６の上端部まで達することで上部が開放された一対の螺旋溝７が形成されている。また、このラセン部材６は内筒部材３の上部に設けられたフランジ部５によって内筒部材３より抜け出し防止され、それによって外筒部材２８も内筒部材３より抜け出し防止されている。
【００２７】
８は皿部材で、この皿部材８は前記内筒部材３内に上下移動可能に収納され、その内部には口紅などの棒状化粧品９を収納している。
【００２８】
１０は前記皿部材８に設けられた前記内筒部材３の切り割り溝４及び前記ラセン部材６の螺旋溝７と係合する一対の係合ピンである。
【００２９】
前記内筒部材３の切り割り溝４の上部と下部には通常の口紅使用時に皿部材８の係合ピンが入り込む横溝１４が形成されていて、通常の口紅使用時に皿部材８の係合ピン１０はこの横溝１４間を移動している。
【００３０】
１７は前記ハカマ部材１に形成された蓋嵌合部と着脱自在に嵌合する蓋である。
【００３１】
このように構成された化粧品収納容器１９は収納された棒状化粧品９を使用する際にはハカマ部材１と外筒部材２８を回動させることにより棒状化粧品９を外筒部材本体１２の天穴１３より出没させて使用することができる。通常の使用においては皿部材８の係合ピン１０は内筒部材３の切り割り溝４に設けられた上下の横溝１４の間をラセン部材６の回動によって移動することになるので、皿部材８の係合ピン１０がラセン部材６で移動される最大突出位置、すなわち最上部位置では皿部材８の係合ピン１０と螺旋部材の螺旋溝７と係合しているので皿部材８を取り外すことはできない。
【００３２】
皿部材８を交換する場合には、まず図３に示すようにハカマ部材１の底穴１８より押上ピン２０を挿入する、あるいは皿部材８の上部をつかんで引っ張り出すなどして皿部材８の係合ピン１０を上の横溝１４から外し、切り割り溝４中を更に上方へ移動させて、皿部材８を所定の最大突出位置よりもさらに上部に位置させることによって、皿部材８の係合ピン１０とラセン部材６の螺旋溝７との係合を解除することができる。
【００３３】
このようにしてラセン部材６の螺旋溝７と係合ピン１０の係合を解除された皿部材８は化粧品収納容器１９に対して傾くことができるようになり、それによって図４に示すように皿部材８を片方の係合ピン１０が外筒部材本体１２の天穴１３を通過できるように皿部材８もう一方の係合ピン１０側にを傾けてから、その係合ピン１０だけ天穴１３を通過させることができ、次に図５に示すように反対側の係合ピン１０が天穴１３を通過することで、皿部材８を外すことができる。
【００３４】
この後で別の皿部材８をセットする際には、皿部材８を外したのと逆の工程を行うことで新しい皿部材８をセットすることができる。まず、片方の係合ピン１０を外筒部材本体１２の上部より天穴１３を通過させ内筒部材３の切り割り溝４へと導くが、この時に前記したように内筒部材３の切り割り溝４の上端部は係合ピン１０を導入しやすいように上方へ向かって広がった開拡部１１が形成されているので、それに係合ピン１０が導かれ、切り割り溝４へと入っていく。その後で反対側の係合ピン１０が天穴１３を通過し、皿部材８を軽く押し下げながら外筒部材１２を皿部材８を下げる方向に回転させれば、両方の係合ピン１０が螺旋溝７と係合し、新しい皿部材８のセットが完了する。
【実施例２】
【００３５】
次に本発明の異なる実施例につき説明する。なお、これらの説明にあたって前記発明の第１の実施例と同一構成部分には同一符号を付して重複する説明を省略する。
【００３６】
図８ないし図１１に示す発明の第２の実施例において、前記発明の第１の実施例と主に異なる点は皿部材８Ａで、この皿部材８Ａは係合ピン１０が形成された皿部材本体２４と、この皿部材本体２４に係止され内部に棒状化粧品９を収納した保持皿２５とから形成されているもので、このように構成された化粧品収納容器１９Ａでは棒状化粧品９を充填する際には、化粧品収納容器１９Ａにセットする前の保持皿２５に内部が口紅形状に形成されたカプセル（図示せず）をその上部に嵌合させ、それを倒立させた後、加熱溶融された口紅を保持皿２５の底穴よりカプセル及び保持皿２５内へ流し込み、そのままカプセルおよび保持皿２５内部で冷却個化させ、その後保持皿２５下部を皿部材本体２４内に挿入し係止させ、カプセルを取り外すことで充填が完了するものであり、このような皿部材８Ａとすることで棒状化粧品９を充填する際のいろいろな充填方法に対応させることができるようになる。  
【００３７】
さらに前記皿部材８Ａの係合ピン１０の上部、図の説明では皿部材本体２４の係合ピン１０の上部は縮径とするための縮径部１５が形成され、皿部材８Ａを傾けた際に外筒部材本体１２の天穴１３をより通過しやすいように形成されている。
【００３８】
また、この皿部材８Ａには化粧品収納容器１９Ａから皿部材８Ａを取り外す際に係合ピン１０の位置がわかるように、皿部材８Ａを所定の最大突出位置よりもさらに上部に位置させた際に外部より目視できる係合ピン１０と対応する位置に刻印、印刷などで印２３を付けてあり、このように印２３を付けることで皿部材８Ａを取り外すことがより容易になる。この縮径部１５、および印２３は先の実施例１においても有効なものであり、この実施例２に限ったものではなく、このように構成した化粧品収納容器１９Ａとしてもよい。
【実施例３】
【００３９】
図１２ないし図１４に示す発明の第３の実施例において、前記発明の第１の実施例と主に異なる点は内筒部材３Ｂと外筒部材２８Ｂで、この外筒部材２８Ｂは内部に螺旋溝７Ｂが形成されさらに上端部に天穴１３が形成されてる。すなわち実施例１のラセン部材６と外筒部材本体１２を１部品として形成したものであり、螺旋溝７Ｂは外筒部材２８Ｂ内で上端が開放されている。このように構成することで部品数を少なくすることができる。
【００４０】
さらに内筒部材３Ｂの上部には外筒部材２８Ｂを抜け止めするフランジ部が無く、その代わり内筒部材３Ｂの切り割り溝４の下部に周溝２６を設け、さらにこの周溝２６と対応する部位の外筒部材２８Ｂ内部に周溝２６と係合する周突起２７を形成したことで内筒部材３Ｂと外筒部材２８Ｂを抜け止めしているもので、このように構成した化粧品収納容器１９Ｂとしてもよい。
【実施例４】
【００４１】
図１５ないし図１７に示す発明の第４の実施例において、前記発明の第１の実施例と主に異なる点は内筒部材３Ｃの切り割り溝４Ｃで、この切り割り溝４Ｃの上部には、内筒部材３Ｃが内方向へたわみこんだ際に、図１６に示すように切り割り溝４Ｃの反対側と当接してそれ以上のたわみこみを阻止することでラセン部材６とフランジ部５の係止状態を維持し外筒部材２８が内筒部材３Ｃより抜け出してしまうという事故を防止することができる一対の係止突起１６が段違いに形成されている。
【００４２】
このように係止突起１６を形成すると皿部材８の係合ピン１０が通過する際に障害となってしまうものであるが、この係止突起１６を段違いに形成することで皿部材８の係合ピン１０が片側ずつ通過できるようになる。すなわち、図１７に示すように皿部材８の係合ピン１０は水平に形成されているので片方の係合ピン１０が係止突起１６を通過する際には係合ピン１０が係止突起１６に乗り上げることによって切り割り溝４Ｃの片側だけを押し広げて通過しようとするが、反対側は係合ピン１０が係止突起１６を通過する状態ではないので切り割り溝４Ｃを押し広げるようには作用していない。次に反対側の係合ピン１０が同様に切り割り溝４Ｃを片側だけを押し広げて係止突起１６を通過することができる。このようにして皿部材８の係合ピン１０が係止突起１６を通過することができるようにしたもので、このように構成した化粧品収納容器１９Ｃとしてもよい。
【産業上の利用可能性】
【００４３】
充填された口紅が不良品であった場合にも口紅がセットされた皿部材だけを外して交換することができ、スティックアイシャドウなどの他の化粧品収納容器にも適用できる。
【図面の簡単な説明】
【００４４】
【図１】発明の化粧品収納容器の断面図である。（実施例１）
【図２】発明の皿部材を最大突出位置にした断面説明図である。（実施例１）
【図３】発明の押上ピンを挿入した状態の断面説明図である。（実施例１）
【図４】発明の皿部材を傾けた状態の断面説明図である。（実施例１）
【図５】発明の皿部材を取り外す状態の断面説明図である。（実施例１）
【図６】発明の内筒部材およびラセン部材の断面図である。（実施例１）
【図７】発明の内筒部材およびラセン部材の斜視図である。（実施例１）
【図８】発明の化粧品収納容器の断面図である。（実施例２）
【図９】発明の皿部材を最大突出位置にした断面説明図である。（実施例２）
【図１０】発明皿部材を傾けた状態の断面説明図である。（実施例２）
【図１１】発明の皿部材の斜視図である。（実施例２）
【図１２】発明の断面説明図である。（実施例３）
【図１３】発明の内筒部材およびラセン部材の断面図の断面図である。（実施例３）
【図１４】発明の内筒部材およびラセン部材の斜視図である。（実施例３）
【図１５】発明の化粧品収納容器の断面図である。（実施例４）
【図１６】発明の内筒部材がたわんだ状態の断面図である。（実施例４）
【図１７】発明の係合ピンが係止突起を乗り越える状態の説明図である。（実施例４）
【図１８】発明の内筒部材の説明図である。（実施例４）
【図１９】発明の内筒部材の斜視図である。（実施例４）
【００４５】
１    ハカマ部材
２    蓋嵌合部
３、３Ｂ、３Ｃ    内筒部材
４、４Ｃ    切り割り溝
５    フランジ部
６    ラセン部材
７、７Ｂ    螺旋溝
８、８Ａ    皿部材
９    棒状化粧品
１０  係合ピン
１１  開拡部
１２  外筒部材本体
１３  天穴
１４    横溝
１５    縮径部
１６    係止突起
１７    蓋
１８    底穴
１９、１９Ａ、１９Ｂ、１９Ｃ    化粧品収納容器
２０    押上ピン
２３    印
２４    皿部材本体
２５    保持皿
２６    周溝
２７    周突起
２８、２８Ｂ    外筒部材
【図１】
2006263271.tif 000003
【図２】
2006263271.tif 000004
【図３】
2006263271.tif 000005
【図４】
2006263271.tif 000006
【図５】
2006263271.tif 000007
【図６】
2006263271.tif 000008
【図７】
2006263271.tif 000009
【図８】
2006263271.tif 000010
【図９】
2006263271.tif 000011
【図１０】
2006263271.tif 000012
【図１１】
2006263271.tif 000013
【図１２】
2006263271.tif 000014
【図１３】
2006263271.tif 000015
【図１４】
2006263271.tif 000016
【図１５】
2006263271.tif 000017
【図１６】
2006263271.tif 000018
【図１７】
2006263271.tif 000019
【図１８】
2006263271.tif 000020
【図１９】
2006263271.tif 000021